(57)【要約】  本発明による装置は、ケースを配置するための水平な棚が設けられた少なくとも１つの容器と、前記容器に垂直平面における往復運動を行わせることができるフレキシブルな駆動装置とを含む。駆動装置は、モータ及び少なくとも１つのプーリが設けられた閉回路の形式で組み込まれている。前記装置は、水平なプッシャをも含み、このプッシャは、その作動端部に、ケースを掴んで容器の外側に配置された作業領域へ移動させかつ容器へ戻すための構成と、作業領域の上方の水平面において水平なプッシャの動作に対して垂直な方向に可動な標本ガラスグリッパとが設けられている。
2009514010.tif 000002
【特許請求の範囲】
【請求項１】
顕微鏡スライドをスライドトレイ上に配置するための装置において、
スライドトレイのための水平な棚を備えた少なくとも１つの容器を含み、該容器が、循環駆動ケーブルロープと、モータと、少なくとも１つのプーリとから成るフレキシブルな駆動装置に接続されており、該駆動装置が前記容器を垂直なガイドに沿って往復運動させることができ、水平なプッシャを含み、該プッシャの作業端部に、スライドトレイを掴みかつ該スライドトレイを前記容器の外側の作業領域へ推進しかつ前記スライドトレイを容器内へ戻すためのツールが設けられており、前記水平なプッシャの移動方向に対して垂直に作業領域上へ水平に移動することができるスライドグリッパを含むことを特徴とする、顕微鏡スライドをスライドトレイ上に配置するための装置。
【請求項２】
付加的に、作業領域の他方の側に配置されておりかつ前記フレキシブルな駆動装置に接続された、スライドトレイのための棚を備えた第２の容器を含む、請求項１記載の顕微鏡スライドをスライドトレイ上に配置するための装置。
【請求項３】
付加的に２つのプーリを含み、一方のプーリが、前記モータと同じ高さに第２の容器レベルの上方に配置されており、他方のプーリが、第１の容器の下方のプーリと同じ高さに第２の容器レベルの下方に配置されている、請求項２記載の顕微鏡スライドをスライドトレイ上に配置するための装置。
【請求項４】
水平なプッシャの掴みツールが機械的なラッチである、請求項１記載の顕微鏡スライドをスライドトレイ上に配置するための装置。
【請求項５】
水平なプッシャの掴みツールが磁気的なグリッパである、請求項１記載の顕微鏡スライドをスライドトレイ上に配置するための装置。
【発明の詳細な説明】
【技術分野】
【０００１】
発明の分野
請求された発明は、診断及び研究のための機器、特に鏡検のための組織学的及び生物学的標本を準備するために使用される装置に関する。この装置は、細胞及び組織標本の顕微鏡研究を行う生物学的及び医学的実験室において、特に組織学的及び細胞学的研究に専門化する実験室において適用されることができる。
【０００２】
適切に処理され、顕微鏡スライドに取り付けられ、染色された組織学的又は生物学的標本は次いで、特別な媒体に固定され、これにより、光学的に均一な領域が形成され、標本は調査のための十分な期間だけ保存される。カナダバルサム、ポリスチレン及びスチレンコポリマは、一般的に使用される光学媒体の幾つかの例である。封入剤のキシレン溶剤は、スライドに固定された標本に提供され、全体がカバーガラスで被覆される。標本が顕微鏡調査を受けることができる前に、カバーガラスの移動又は媒体の漏れを防止するためにスライドが水平に位置決めされながら媒体が乾燥しなければならない。標本が取り付けられた顕微鏡スライドはスライドトレイにおける乾燥のために配置される。スライドトレイは、矩形の標準的なスライドサイズのセルを備えた、プラスチック、木、又は厚紙製のトレイである。スライドトレイは、一列又は複数列に配置された１０、２０又は３０個のセルを有することができる。スライドトレイにおけるスライドはさらに顕微鏡調査が行われる。
【０００３】
スライドは手作業でスライドトレイに配置される。すなわち、この作業は、労力を費やし、注意深い人員を必要とする。これに加え、スライドトレイは、スライドが配置されている時に、広い実験室作業スペースを占有する。
【０００４】
従来の技術
我々の知る限り、スライドトレイに顕微鏡スライドを配置するための公知の装置は存在しない。オーストラリアのVisionBioSystemsによって製造された公知の装置は、顕微鏡スライドを、容器内に配置されたスライドトレイから、顕微鏡ステージへ供給し、顕微鏡スライドをスライドトレイへ戻すことができるが、スライドは既にスライドトレイに配置されていることが要求される（プロスペクトコピーが同封されている）。
【０００５】
発明の開示
請求された発明によって達成された技術的結果は、標本が固定された顕微鏡スライドをスライドトレイに配置するという労力を費やす作業を機械化することを可能にする装置を構成することになる。
【０００６】
前記技術的結果は、顕微鏡スライドをスライドトレイに配置するための請求された装置によって達成され、この装置は、スライドトレイのための水平な棚を備えた少なくとも１つの容器を含み、この容器は、フレキシブルな駆動装置によって垂直なガイドに沿って往復運動することができ、駆動装置は、循環駆動ロープと、モータと、少なくとも１つのプーリとから成り、さらに作業端部に設けられた水平なプッシャを含み、このプッシャは、スライドトレイを掴み、スライドトレイを、容器の外側の作業領域へ推進し、次いで容器内へ戻すためのツールを備えており、さらに水平なプッシャの方向に対して垂直な方向に作業領域上へ水平に移動することができるスライドグリッパを含む。
【０００７】
前記装置は、作業領域の両側に配置された２つの容器をも有し、第２の容器は、同じ駆動装置に接続されており、往復垂直運動を行うことができる。２つの容器を備えた装置の駆動装置は２つの付加的なプーリを含むことができ、そのうち一方は、モータを備えた第２の容器レベルの上方に配置されており、他方は、第１の容器の下方のプーリを備えた第２の容器レベルの下方に配置されている。
【０００８】
水平なプッシャのスライドトレイグリッパは、機械的なラッチ又は磁気的なグリッパであることができる。
【０００９】
図面の簡単な説明
請求された発明は図１〜図４に示されたような図面を参照しながら説明されることができる。
【００１０】
図１は、スライドトレイのための棚を備えた１つの容器を含む請求された装置を示している。
【００１１】
図２は、水平なプッシャの移動平面における同じ装置の上面図を示している。
【００１２】
図３は、スライドトレイのための棚を備えた２つの容器を含む請求された装置を示している。
【００１３】
図４は、水平なプッシャの移動平面における図３の装置の上面図を示している。
【００１４】
スライドトレイのための棚２を備えた容器１（図１及び図２）は駆動装置３に接続されており、駆動装置は、循環駆動ロープと、モータ４と、プーリ５とを含む。駆動プーリは、可撓性の金属、ゴム又はプラスチック帯材等から成る、循環ワイヤ又はチェーンから形成されることができる。プッシャ６は駆動装置７に接続されており、この駆動装置はプッシャを往復運動させることができる。作業端部において、プッシャ６にはあらゆる種類の機械的又は磁気的なグリッパ（図示せず）が設けられている。磁気的なグリッパの場合、スライドトレイは、短い側において、鉄、鋼又は別の磁気的な材料のストライプを支持しているべきである。スライドグリッパ８は、作業領域の上方に配置されており、駆動装置９（図２）によって、水平なプッシャ６の方向に対して垂直な方向に水平に移動することができる。
【００１５】
装置は、スライドトレイのための棚１１を備えた第２の容器１０（図３及び図４）をも有することができ、この場合、駆動装置３は付加的なプーリ１２及び１３を有する。
【００１６】
装置は以下のように機能する。プッシャ６（図２）は、スライドトレイ１４を、１つのスライドセル幅のための作業領域へ推進する。グリッパ８は、作業領域上へ移動し、スライドをセル内に配置する。その後、プッシャ６はスライドトレイ１４を別のセル幅のために推進し、グリッパ８は次のスライドをそのセル内に配置する。複数列スライドトレイが使用される場合には、スライドはトレイに一列ごとに配置されることができるか、又は択一的に、スライドトレイが次のステップのために押される前に、一行におけるセルが満たされることができる。
【００１７】
スライドトレイ１４が満たされた後、プッシャ６はスライドトレイを容器１における棚へ戻す。駆動装置３は、容器１を１つの棚高さのために移動させ、これにより、プッシャ６は次のスライドトレイ（図１）を作動させることができる。
【００１８】
２つの容器を備えた態様は以下のように使用される（図３及び図４）。容器１には空のスライドトレイが装入されている。満たされたトレイは、容器１０の空の棚に配置されている。駆動装置３は、一回のステップで同時に容器１を上昇させ容器１０を下降させる。容器１０が充填された後、装入されたスライドトレイが容器１０から取り出されることができるのに対し、容器１には、空のスライドトレイが装入される。
【００１９】
スライドが、マイクロチップ、バーコード等による自動化された読取りのために符号化されているならば、請求された装置は、スライドを特定された形式で自動的に配列することができる。例えば、特定のケースに関する全てのスライドが一緒に集合させられることができる。符号読取り入力装置は、例えばグリッパ８に配置されていることができる。
【００２０】
産業上の用途
顕微鏡スライドをスライドトレイに配置するための請求された装置は、組織学的及び細胞学的実験室において、及び細胞及び組織の顕微鏡調査を行うあらゆるその他の医学的及び生物学的施設において使用されることができる。
【図面の簡単な説明】
【００２１】
【図１】スライドトレイのための棚を備えた１つの容器を含む請求された装置を示している。
【図２】水平なプッシャの移動平面における同じ装置の上面図を示している。
【図３】スライドトレイのための棚を備えた２つの容器を含む請求された装置を示している。
【図４】水平なプッシャの移動平面における図３の装置の上面図を示している。
【符号の説明】
【００２２】
１  容器、  ２  棚、  ３  駆動装置、  ４  モータ、  ５  プーリ、  ６  プッシャ、  ７  駆動装置、  ８  スライドグリッパ、  ９  駆動装置、  １０  第２の容器、  １１  棚、  １２，１３  プーリ、  １４  スライドトレイ
【図１】
2009514010.tif 000003
【図２】
2009514010.tif 000004
【図３】
2009514010.tif 000005
【図４】
2009514010.tif 000006
【国際調査報告】
2009514010.tif 000007
2009514010.tif 000008